(57)【要約】      （修正有）【課題】美肌の効果を追加させる光線治療モジュールを有する陰圧カップ構造を提供する。【解決手段】光線治療モジュール２を有する陰圧カップ構造１０に関する。この陰圧カップ構造は、口部１１を有する陰圧カップ本体１と、陰圧カップ本体の内部に収容され、回路基板２１と前記回路基板に取り付けられ、前記口部に対応して照射する複数の発光ダイオード２２とを含む光線治療モジュールと、を備える。これにより、陰圧カップ構造に光線療法及び美肌の効果を追加させる。【選択図】図７
0003234529.tif 000002
【実用新案登録請求の範囲】
【請求項１】
光線治療モジュールを有する陰圧カップ構造であって、
口部を有する陰圧カップ本体と、
前記陰圧カップ本体の内部に収容され、回路基板と、前記回路基板に取り付けられ、前記口部に対応して照射する複数の発光ダイオードと、を含む光線治療モジュールと、
を備える陰圧カップ構造。
【請求項２】
前記光線治療モジュールは、前記複数の発光ダイオードに対応して配置されている集光カバーをさらに含み、前記集光カバーが複数の貫通孔と、各前記貫通孔の内部に形成された複数の反射環壁と、を有し、各前記発光ダイオードが各前記貫通孔に対応して配置される請求項１に記載の光線治療モジュールを有する陰圧カップ構造。
【請求項３】
前記光線治療モジュールは、互いに組み付けられたランプハウジング及びランプシェードをさらに含み、前記回路基板及び前記集光カバーが前記ランプハウジングに収容され、前記ランプシェードが前記複数の発光ダイオード及び前記集光カバーの外部を覆い被せる請求項２に記載の光線治療モジュールを有する陰圧カップ構造。
【請求項４】
ボルトをさらに備え、前記陰圧カップ本体に固定孔を設け、前記光線治療モジュールは電源コネクタをさらに含み、前記電源コネクタの一端が前記ランプハウジングに固結され、かつ前記回路基板に電気的に接続され、他端に前記固定孔を貫設し、前記ボルトと互いに螺着するスクリューを有する請求項３に記載の光線治療モジュールを有する陰圧カップ構造。
【請求項５】
前記電源コネクタは、溶接方法で前記回路基板に固結される請求項４に記載の光線治療モジュールを有する陰圧カップ構造。
【請求項６】
吸引ポンプをさらに備え、前記陰圧カップ本体が前記口部から離れる端に底部を有し、前記底部に前記固定孔及び少なくとも１つの通気孔が設けられ、前記吸引ポンプが前記少なくとも一つの通気孔に固定且つ連通される請求項４に記載の光線治療モジュールを有する陰圧カップ構造。
【請求項７】
前記ランプハウジングに前記回路基板を支持した複数の固定ポスト及び前記集光カバーに当たって位置決めする環形ストッパーを延在する請求項３に記載の光線治療モジュールを有する陰圧カップ構造。
【請求項８】
前記ランプハウジングの内周縁に複数の係止溝が設けられ、前記ランプシェードに各前記係止溝に係合する複数の係止具を延在する請求項３に記載の光線治療モジュールを有する陰圧カップ構造。
【請求項９】
前記ランプシェードに環形凹溝及び複数の凹部が設けられ、前記集光カバーの外周縁に前記環形凹溝に係合する環形突起を下向いて延在し、及び各前記凹部に係合する複数の凸部を外側に向けて延在する請求項３に記載の光線治療モジュールを有する陰圧カップ構造。
【請求項１０】
前記光線治療モジュールが前記回路基板に取り付けられる水晶発振器と、電流ヒューズと、を更に含む請求項１に記載の光線治療モジュールを有する陰圧カップ構造。
【請求項１１】
前記複数の発光ダイオードは、少なくとも２種類の異なる色の色光を有する請求項１に記載の光線治療モジュールを有する陰圧カップ構造。
【考案の詳細な説明】
【技術分野】
【０００１】
本考案は、医療或いはヘルスケア用の陰圧カップに関し、特に、光線治療モジュールを有する陰圧カップ構造に関する。
【背景技術】
【０００２】
体の表面からカップ又はカッピングカップを使って陰圧吸引方法で皮膚に刺激を与え、筋肉をリラックスさせ、或いは豊胸効果を奏し、カップ又はカッピングカップは市場で広く見られるヘルスケア器具となっている。
【０００３】
しかしながら、従来技術において、カップ又はカッピングカップは、陰圧の作用のみに依存して治療効果を奏していたが、カップ又はカッピングカップに一つの機能の問題を抱えている。このため、カップ又はカッピングカップの機能をどのように拡張するのかが、業界の研究重点であった。
【０００４】
これに鑑み、本考案者は、上記の従来技術の欠陥に対し、鋭意研究を重ねると共に学理の運用を組み合わせ、上記問題点を解決することに努めた結果、本考案者の改良の目標となった。
【考案の概要】
【考案が解決しようとする課題】
【０００５】
本考案は、光線治療モジュールを陰圧カップ本体の内部に収容させることによって、陰圧カップ構造に光線療法及び美肌の効果を追加させる光線治療モジュールを有する陰圧カップ構造を提供する。
【課題を解決するための手段】
【０００６】
本考案の実施例において、本考案は、光線治療モジュールを有する陰圧カップ構造を提供する。光線治療モジュールを有する陰圧カップ構造は、口部を有する陰圧カップ本体と、前記陰圧カップ本体の内部に収容され、回路基板と前記回路基板に取り付けられ、前記口部に対応して照射する複数の発光ダイオードとを含む光線治療モジュールと、を備える。
【考案の効果】
【０００７】
上記に基づくと、光線治療モジュールは、複数の発光ダイオードに対応して配置されている集光カバーをさらに含み、集光カバーが複数の貫通孔と、各貫通孔の内部に形成された反射環壁と、を有し、各発光ダイオードが各貫通孔の反射環壁に対応して配置され、反射環壁が優れた光反射効果を有するため、発光ダイオードの光が反射環壁を介して貫通孔に集められて出射され、光散乱の発生を防止することで、陰圧カップ構造の光線療法効率を高める。
【図面の簡単な説明】
【０００８】
【図１】本考案の光線治療モジュールの立体分解図である。
【図２】本考案の光線治療モジュールの別の立体分解図である。
【図３】本考案の陰圧カップ構造の立体分解図である。
【図４】本考案の陰圧カップ構造の別の立体分解図である。
【図５】本考案の陰圧カップ構造の立体組立図である。
【図６】本考案の陰圧カップ構造の概略上面図である。
【図７】本考案の陰圧カップ構造の断面図である。
【図８】本考案の陰圧カップ構造の断面図である。
【図９】本考案の光線治療モジュールの別の実施例の立体分解図である。
【考案を実施するための形態】
【０００９】
以下、本考案の詳細な説明及び技術内容は、図面を参照しつつ説明するが、添付図面は、例示のみを目的としており、本考案を限定することを意図するものではない。
【００１０】
図１乃至図８に示すように、本考案は、光線治療モジュールを有する陰圧カップ構造を提供する。前記陰圧カップ構造１０は、主に陰圧カップ本体１と、光線治療モジュール２と、を備える。
【００１１】
図３乃至図８に示すように、陰圧カップ本体１は、口部１１と、口部１１から離れる端にある底部１２と、を備え、底部１２に固定孔１３及び１つ又は複数の通気孔１４が設けられる。ここで、陰圧カップ本体１は、透明プラスチック或いはガラスなどの透明な材料で構成されるが、これに限定されない。
【００１２】
図１乃至図８に示すように、光線治療モジュール２は、陰圧カップ本体１の内部に収容され、回路基板２１と、回路基板２１に取り付けられ、口部１１に対応して照射する複数の発光ダイオード２２と、複数の発光ダイオード２２に対応して配置された集光カバー２３と、を備え、集光カバー２３が複数の貫通孔２３１と、各貫通孔２３１の内部に形成された複数の反射環壁２３２（各反射環壁２３２が各貫通孔２３１に形成される）と、を有し、各発光ダイオード２２が各貫通孔２３１に対応して配置されている。
【００１３】
複数の発光ダイオード２２は、少なくとも２種類以上の異なる色の色光を有する。例えば以下に示すように、複数の発光ダイオード２２は、ＲＧＢ３色発光ダイオードであり得、赤色発光ダイオード、緑色発光ダイオード、青色発光ダイオードの発光パワーを調整することによって、異なる色の波長の出力を提供し、異なる光線療法の効果をもたらすことができる。
【００１４】
また集光カバー２３は、貫通孔２３１の内壁に自然に反射環壁２３２を形成させるため、反射表面を有する金属材質で構成されるか、又は各反射環壁２３２が各貫通孔２３１の内壁に反射材質を被覆して構成されることができる。
【００１５】
詳細な説明は以下の通りである。光線治療モジュール２は、互いに組み付けられたランプハウジング２４及びランプシェード２５をさらに含み、回路基板２１及び集光カバー２３がランプハウジング２４に収容され、ランプシェード２５が複数の発光ダイオード２２及び集光カバー２３の外部を覆い被せる。
【００１６】
なお、ランプハウジング２４に回路基板２１を支持した複数の固定ポスト２４１及び集光カバー２３に当たって位置決めする環形ストッパー２４２を延在し、ランプハウジング２４の内周縁に複数の係止溝２４３が設けられ、ランプシェード２５をランプハウジング２４に堅固に組み付けらせるため、ランプシェード２５に各係止溝２４３に係合する複数の係止具２５１を延在する。回路基板２１は、ロック方法で複数の固定ポスト２４１に固結することができるが、これに限定されない。
【００１７】
さらに、ランプシェード２５に環形凹溝２５２及び複数の凹部２５３が設けられ、集光カバー２３をランプシェード２５に堅固に組み付けらせるため、集光カバー２３の外周縁に環形凹溝２５２に係合する環形突起２３３を下向いて延在し、及び各凹部２５３に係合する複数の凸部２３４を外側に向けて延在する。ここで、ランプシェード２５は、透明プラスチック或いはガラスなどの透明な材料で構成されるが、これに限定されない。
【００１８】
また、光線治療モジュール２は、電源コネクタ２６をさらに含み、電源コネクタ２６の一端がランプハウジング２４に固結され、回路基板２１に電気的に接続され、他端に固定孔１３を貫設するスクリュー２６１を有し、電源コネクタ２６が回路基板２１及び発光ダイオード２２に電力を供給するために用いられる。ここで、電源コネクタ２６は、溶接方法で回路基板２１に固結されるが、これに限定されない。
【００１９】
図３乃至図５、図７に示すように、本考案の陰圧カップ構造１０は、ボルト３をさらに含み、電源コネクタ２６のスクリュー２６１とボルト３とが互いに螺着することで、電源コネクタ２６を陰圧カップ本体１に堅固に組み付けられる。
【００２０】
図３乃至図５、図７乃至図８に示すように、本考案の陰圧カップ構造１０は、吸引ポンプ４をさらに含み、吸引ポンプ４が通気孔１４に固定且つ連通される。陰圧カップ構造１０を使用する時、陰圧カップ本体１の口部１１は、人体の皮膚にぴったり密着させるために用いられ、吸引ポンプ４が通気孔１４を介して陰圧カップ本体１の内部から空気を吸引し、陰圧カップ本体１の内部に陰圧を形成させることで、陰圧カップ本体１を人体の表面に吸着させる。
【００２１】
図７乃至図８は、本考案の陰圧カップ構造１０の使用状態を示し、光線治療モジュール２を陰圧カップ本体１の内部に収容し、光線治療モジュール２は、異なる色波長の出力を提供して、皮膚の陰圧カッピング範囲に光照射し、陰圧カップ構造１０が人体の表面に吸着されることで、皮膚に刺激を与え、筋肉をリラックスさせ、或いは豊胸効果を奏するだけではなく、陰圧カップ構造１０に光線療法及び美肌の効果を追加させる。
【００２２】
なお、各発光ダイオード２２は、各貫通孔２３１の反射環壁２３２に対応して配置され、反射環壁２３２が優れた光反射効果を有するため、発光ダイオード２２の光が反射環壁２３２を介して貫通孔２３１に集められて出射され、光散乱の発生を防ぐことで、陰圧カップ構造１０の光線療法効率を高める。
【００２３】
図９を参照すると、本考案の光線治療モジュール２の別の実施例である。図９の実施例は、図１乃至図８の実施例と大まかに同じで、図９の実施例と図１乃至図８の実施例との相違点は、光線治療モジュール２が回路基板２１に取り付けられる水晶発振器２７と、電流ヒューズ２８と、を更に含むことである。
【００２４】
以下にさらに説明する。水晶発振器２７は、回路基板２が複数の発光ダイオード２２の断続的な点滅の秒数に対する判読をより正確にするのを補助するために用いられ、電流ヒューズ２８は電流が大すぎる時回路基板２１の電源を切るために用いられ、したがって、回路基板２１上の電子素子の損傷、或いは発光ダイオード２２の照射時間が長すぎることを防ぐことで、陰圧カップ構造１０に良好な使い勝手及び長寿命化があることを実現する。
【００２５】
上記をまとめると、本考案の光線治療モジュールを有する陰圧カップ構造は、意図した用途を達成し、従来の欠陥を解決することができ、産業上の利用可能性、新規性及び進歩性を有し、特許出願要件に完全に適合するので、特許法に基づいて出願し、考案者の権利を保障するため、何卒ご審理の上、速やかに特許査定賜りますようお願いする次第である。
【符号の説明】
【００２６】
１０    陰圧カップ構造
１      陰圧カップ本体
１１    口部
１２    底部
１３    固定孔
１４    通気孔
２      光線治療モジュール
２１    回路基板
２２    発光ダイオード
２３    集光カバー
２３１  貫通孔
２３２  反射環壁
２３３  環形突起
２３４  凸部
２４    ランプハウジング
２４１  固定ポスト
２４２  環形ストッパー
２４３  係止溝
２５    ランプシェード
２５１  係止具
２５２  環形凹溝
２５３  凹部
２６    電源コネクタ
２６１  スクリュー
２７    水晶発振器
２８    電流ヒューズ
３      ボルト
４      吸引ポンプ
【図１】
0003234529.tif 000003
【図２】
0003234529.tif 000004
【図３】
0003234529.tif 000005
【図４】
0003234529.tif 000006
【図５】
0003234529.tif 000007
【図６】
0003234529.tif 000008
【図７】
0003234529.tif 000009
【図８】
0003234529.tif 000010
【図９】
0003234529.tif 000011